(57)【要約】【課題】閲覧した商品またはサービスの価格の計算単位を購入を申し込んでいる商品またはサービスを基準に表示させることにより、ユーザに閲覧した商品またはサービスの価値を実感させやすくする。【解決手段】対象商品選択部１２３は、ユーザがこれまでに閲覧した商品の中のいずれかを対象商品として選択する。基礎物品相当数計算部１２４は、購入の申し込みを受け付けるウェブページで販売される商品である基礎物品の価格で、対象商品の価格を割り算することで、対象商品の価格を基礎物品の相当する数で表す基礎物品相当数を算出する。Webサーバ機能６１は、対象商品の価格が基礎物品相当数の基礎物品に相当することを表示させる表示データが含まれるウェブページのデータを端末装置に送信する。【選択図】図３
2011134156.tif 000002
【特許請求の範囲】
【請求項１】
所定のユーザの端末装置からの所定の商品またはサービスの購入の申し込みをウェブページにおいて受け付ける情報提供装置において、
前記ユーザがこれまでに閲覧したウェブページにおいて販売される商品または提供されるサービスの中のいずれかを対象商品等として選択する選択手段と、
購入の申し込みを受け付けた商品またはサービスである基礎物品等の購入価格で前記対象商品等の価格を割り算することで、前記対象商品等の価格を前記基礎物品等の相当する数で表す基礎物品相当数を算出する相当数算出手段と、
購入の申し込みを受け付けた旨を通知するウェブページであって、前記対象商品等の価格が前記基礎物品相当数の前記基礎物品等に相当することを表示させる表示データが含まれるウェブページのデータを前記端末装置に送信する送信手段と
を備える情報提供装置。
【請求項２】
請求項１に記載の情報提供装置において、
前記選択手段は、前記ユーザがこれまでに購入していない商品または提供されるサービスを前記対象商品等として選択する
情報提供装置。
【請求項３】
請求項１又は２に記載の情報提供装置において、
前記基礎物品等の購入価格とは、前記基礎物品等の購入時の単価である
情報提供装置。
【請求項４】
請求項１〜３の何れか一項に記載の情報提供装置において、
前記選択手段は、最後に閲覧したウェブページにおいて販売される商品または提供されるサービスを前記対象商品等として選択する
情報提供装置。
【請求項５】
請求項１〜３の何れか一項に記載の情報提供装置において、
前記選択手段は、閲覧された回数が最も多いウェブページにおいて販売される商品または提供されるサービスを前記対象商品等として選択する
情報提供装置。
【請求項６】
請求項１〜３の何れか一項に記載の情報提供装置において、
前記ユーザがこれまでに購入した商品またはサービスの購入価格の平均値である平均購入価格を算出する平均購入価格算出手段と、
購入の申し込みを受け付けた商品またはサービスの価格が前記平均購入価格より高いか否かを判定する判定手段と
をさらに備え、
前記選択手段は、前記判定手段において購入の申し込みを受け付けた商品またはサービスの価格が前記平均購入価格より高いと判定された場合、前記ユーザがこれまでに閲覧したウェブページにおいて販売される商品または提供されるサービスであって、購入の申し込みを受け付けた商品またはサービスの価格より高い価格の商品またはサービスの中から、最も低い価格の商品またはサービスを前記対象商品等として選択し、前記判定手段において購入の申し込みを受け付けた商品またはサービスの価格が前記平均購入価格と同じ又はそれより低いと判定された場合、前記ユーザがこれまでに閲覧したウェブページにおいて販売される商品または提供されるサービスであって、購入の申し込みを受け付けた前記商品またはサービスの価格より低い価格の商品またはサービスの中から、最も高い価格の商品またはサービスを前記対象商品等として選択する
情報提供装置。
【請求項７】
請求項６に記載の情報提供装置において、
前記平均購入価格は、前記ユーザがこれまでに購入した商品またはサービスの単価の平均値であり、
前記選択手段において、前記購入の申し込みを受け付けた商品またはサービスの前記価格とは当該商品またはサービスの単価であり、前記対象商品等の前記価格とは当該対象物品等の単価である
情報提供装置。
【請求項８】
請求項１〜３の何れか一項に記載の情報提供装置において、
前記ユーザがこれまでに購入した商品またはサービスの購入価格の平均値である平均購入価格を算出する平均購入価格算出手段と、
購入の申し込みを受け付けた商品またはサービスの価格が前記平均購入価格より高いか否かを判定する判定手段と
をさらに備え、
前記選択手段は、前記判定手段において購入の申し込みを受け付けた商品またはサービスの価格が前記平均購入価格より高いと判定された場合、前記ユーザがこれまでに閲覧したウェブページにおいて販売される商品または提供されるサービスであって、購入の申し込みを受け付けた商品またはサービスの価格より高い価格の商品またはサービスの中から、最も高い価格の商品またはサービスを前記対象商品等として選択し、前記判定手段において購入の申し込みを受け付けた商品またはサービスの価格が前記平均購入価格と同じ又はそれより低いと判定された場合、前記ユーザがこれまでに閲覧したウェブページにおいて販売される商品または提供されるサービスであって、購入の申し込みを受け付けた前記商品またはサービスの価格より低い価格の商品またはサービスの中から、最も低い価格の商品またはサービスを前記対象商品等として選択する
情報提供装置。
【請求項９】
請求項８に記載の情報提供装置において、
前記平均購入価格は、前記ユーザがこれまでに購入した商品またはサービスの単価の平均値であり、
前記選択手段において、前記購入の申し込みを受け付けた商品またはサービスの前記価格とは当該商品またはサービスの単価であり、前記対象商品等の前記価格とは当該対象物品等の単価である
情報提供装置。
【請求項１０】
請求項１〜９の何れか一項に記載の情報提供装置において、
前記選択手段は、前記対象商品等として、前記ユーザが予め決められた期間に閲覧したウェブページにおいて販売される商品または提供されるサービスの中のいずれかを選択する
情報提供装置。
【請求項１１】
所定のユーザの端末装置からの所定の商品またはサービスの購入の申し込みをウェブページにおいて受け付ける情報提供方法において、
前記ユーザがこれまでに閲覧したウェブページにおいて販売される商品または提供されるサービスの中のいずれかを対象商品等として選択し、
購入の申し込みを受け付けた商品またはサービスである基礎物品等の購入価格で前記対象商品等の価格を割り算することで、前記対象商品等の価格を前記基礎物品等の相当する数で表す基礎物品相当数を算出し、
購入の申し込みを受け付けた旨を通知するウェブページであって、前記対象商品等の価格が前記基礎物品相当数の前記基礎物品等に相当することを表示させる表示データが含まれるウェブページのデータを前記端末装置に送信する
ステップを含む情報提供方法。
【請求項１２】
所定のユーザの端末装置からの所定の商品またはサービスの購入の申し込みをウェブページにおいて受け付けるコンピュータに、
前記ユーザがこれまでに閲覧したウェブページにおいて販売される商品または提供されるサービスの中のいずれかを対象商品等として選択し、
購入の申し込みを受け付けた商品またはサービスである基礎物品等の購入価格で前記対象商品等の価格を割り算することで、前記対象商品等の価格を前記基礎物品等の相当する数で表す基礎物品相当数を算出し、
購入の申し込みを受け付けた旨を通知するウェブページであって、前記対象商品等の価格が前記基礎物品相当数の前記基礎物品等に相当することを表示させる表示データが含まれるウェブページのデータを前記端末装置に送信する
ステップを含む処理を実行させるプログラム。
【請求項１３】
所定の商品またはサービスの購入を、ウェブページを介して所定のユーザによって情報提供装置に申し込む情報表示装置において、
前記ユーザがこれまでに閲覧したウェブページにおいて販売される商品または提供されるサービスの中のいずれかを対象商品等として選択する選択手段と、
購入の申し込みを受け付けた商品またはサービスである基礎物品等の購入価格で前記対象商品等の価格を割り算することで、前記対象商品等の価格を前記基礎物品等の相当する数で表す基礎物品相当数を算出する相当数算出手段と、
購入の申し込みを受け付けた旨を通知するウェブページを前記情報提供装置から受信し、前記対象商品等の価格が前記基礎物品相当数の前記基礎物品等に相当することを表示させる表示データが含まれるデータを前記ウェブページ上に表示させる表示制御手段と
を備える情報表示装置。
【請求項１４】
請求項１３に記載の情報表示装置において、
前記基礎物品等の購入価格とは、前記基礎物品等の購入時の単価である
情報表示装置。
【発明の詳細な説明】
【技術分野】
【０００１】
本発明は情報提供装置および方法、プログラム、並びに情報表示装置に関し、特に、ウェブページを提供する情報提供装置および方法、プログラム、並びに情報表示装置に関する。
【背景技術】
【０００２】
近年、多種多様の商品がウェブページにおいて販売されている。また、比較的高価な商品もウェブページにおいて販売されるようになってきた。
【０００３】
従来、通常の通貨単位を有する基準電子マネーの通貨単位を独自の通貨単位に変更するための換算率である通貨レートを設定する通貨レート・通貨単位設定手段と、前記通貨レートと独自の通貨単位を有するオリジナル電子マネーを発行する電子マネー発行部と、当該オリジナル電子マネーを識別するための識別情報を含む電子マネー情報とを備え、任意に設定可能な通貨レートと独自の通貨単位を有するオリジナル電子マネーを発行してウェブサイト上における商取引を行うオリジナル電子マネーシステムが提案されている（例えば、特許文献１参照）。
【先行技術文献】
【特許文献】
【０００４】
【特許文献１】特開２００３−７６８５１号公報
【発明の概要】
【発明が解決しようとする課題】
【０００５】
しかしながら、通貨単位を変更することはできたが、商品を販売しているEC（electronic commerce）サイトを訪れて商品の購入を迷っている顧客に対して価値判断の尺度を変えてアプローチすることはできなかった。
【０００６】
本発明は、過去に閲覧した商品またはサービスに対して、当該商品またはサービスの価格の計算単位を今回購入する商品またはサービスを基準に表示させることによって、過去に閲覧した商品またはサービスの価値を実感させやすくするものである。
【課題を解決するための手段】
【０００７】
本発明の第１の側面の情報提供装置は、所定のユーザの端末装置からの所定の商品またはサービスの購入の申し込みをウェブページにおいて受け付ける情報提供装置であって、前記ユーザがこれまでに閲覧したウェブページにおいて販売される商品または提供されるサービスの中のいずれかを対象商品等として選択する選択手段と、購入の申し込みを受け付けた商品またはサービスである基礎物品等の購入価格で前記対象商品等の価格を割り算することで、前記対象商品等の価格を前記基礎物品等の相当する数で表す基礎物品相当数を算出する相当数算出手段と、購入の申し込みを受け付けた旨を通知するウェブページであって、前記対象商品等の価格が前記基礎物品相当数の前記基礎物品等に相当することを表示させる表示データが含まれるウェブページのデータを前記端末装置に送信する送信手段とを備える。
【０００８】
前記選択手段は、前記ユーザがこれまでに購入していない商品または提供されるサービスを前記対象商品等として選択することができる。
【０００９】
前記基礎物品等の購入価格とは、前記基礎物品等の購入時の単価であってもよい。
【００１０】
前記選択手段には、最後に閲覧したウェブページにおいて販売される商品または提供されるサービスを前記対象商品等として選択させることができる。
【００１１】
前記選択手段には、閲覧された回数が最も多いウェブページにおいて販売される商品または提供されるサービスを前記対象商品等として選択させることができる。
【００１２】
前記ユーザがこれまでに購入した商品またはサービスの購入価格の平均値である平均購入価格を算出する平均購入価格算出手段と、購入の申し込みを受け付けた商品またはサービスの価格が前記平均購入価格より高いか否かを判定する判定手段とをさらに設け、前記選択手段には、前記判定手段において購入の申し込みを受け付けた商品またはサービスの価格が前記平均購入価格より高いと判定された場合、前記ユーザがこれまでに閲覧したウェブページにおいて販売される商品または提供されるサービスであって、購入の申し込みを受け付けた商品またはサービスの価格より高い価格の商品またはサービスの中から、最も低い価格の商品またはサービスを前記対象商品等として選択し、前記判定手段において購入の申し込みを受け付けた商品またはサービスの価格が前記平均購入価格と同じ又はそれより低いと判定された場合、前記ユーザがこれまでに閲覧したウェブページにおいて販売される商品または提供されるサービスであって、購入の申し込みを受け付けた前記商品またはサービスの価格より低い価格の商品またはサービスの中から、最も高い価格の商品またはサービスを前記対象商品等として選択させることができる。
【００１３】
前記平均購入価格は、前記ユーザがこれまでに購入した商品またはサービスの単価の平均値であり、前記選択手段において、前記購入の申し込みを受け付けた商品またはサービスの前記価格とは当該商品またはサービスの単価であり、前記対象商品等の前記価格とは当該対象物品等の単価であってもよい。
【００１４】
前記ユーザがこれまでに購入した商品またはサービスの購入価格の平均値である平均購入価格を算出する平均購入価格算出手段と、購入の申し込みを受け付けた商品またはサービスの価格が前記平均購入価格より高いか否かを判定する判定手段とをさらに設け、前記選択手段には、前記判定手段において購入の申し込みを受け付けた商品またはサービスの価格が前記平均購入価格より高いと判定された場合、前記ユーザがこれまでに閲覧したウェブページにおいて販売される商品または提供されるサービスであって、購入の申し込みを受け付けた商品またはサービスの価格より高い価格の商品またはサービスの中から、最も高い価格の商品またはサービスを前記対象商品等として選択し、前記判定手段において購入の申し込みを受け付けた商品またはサービスの価格が前記平均購入価格と同じ又はそれより低いと判定された場合、前記ユーザがこれまでに閲覧したウェブページにおいて販売される商品または提供されるサービスであって、購入の申し込みを受け付けた前記商品またはサービスの価格より低い価格の商品またはサービスの中から、最も低い価格の商品またはサービスを前記対象商品等として選択させることができる。
【００１５】
前記平均購入価格は、前記ユーザがこれまでに購入した商品またはサービスの単価の平均値であり、前記選択手段において、前記購入の申し込みを受け付けた商品またはサービスの前記価格とは当該商品またはサービスの単価であり、前記対象商品等の前記価格とは当該対象物品等の単価であってもよい。
【００１６】
前記選択手段は、前記対象商品等として、前記ユーザが予め決められた期間に閲覧したウェブページにおいて販売される商品または提供されるサービスの中のいずれかを選択することができる。
【００１７】
本発明の第１の側面の情報提供方法は、所定のユーザの端末装置からの所定の商品またはサービスの購入の申し込みをウェブページにおいて受け付ける情報提供方法であって、前記ユーザがこれまでに閲覧したウェブページにおいて販売される商品または提供されるサービスの中のいずれかを対象商品等として選択し、購入の申し込みを受け付けた商品またはサービスである基礎物品等の購入価格で前記対象商品等の価格を割り算することで、前記対象商品等の価格を前記基礎物品等の相当する数で表す基礎物品相当数を算出し、購入の申し込みを受け付けた旨を通知するウェブページであって、前記対象商品等の価格が前記基礎物品相当数の前記基礎物品等に相当することを表示させる表示データが含まれるウェブページのデータを前記端末装置に送信するステップを含む。
【００１８】
本発明の第１の側面のプログラムは、所定のユーザの端末装置からの所定の商品またはサービスの購入の申し込みをウェブページにおいて受け付けるコンピュータに、前記ユーザがこれまでに閲覧したウェブページにおいて販売される商品または提供されるサービスの中のいずれかを対象商品等として選択し、購入の申し込みを受け付けた商品またはサービスである基礎物品等の購入価格で前記対象商品等の価格を割り算することで、前記対象商品等の価格を前記基礎物品等の相当する数で表す基礎物品相当数を算出し、購入の申し込みを受け付けた旨を通知するウェブページであって、前記対象商品等の価格が前記基礎物品相当数の前記基礎物品等に相当することを表示させる表示データが含まれるウェブページのデータを前記端末装置に送信するステップを含む処理を実行させる。
【００１９】
本発明の第１の側面の情報表示装置は、所定の商品またはサービスの購入を、ウェブページを介して所定のユーザによって情報提供装置に申し込む情報表示装置において、前記ユーザがこれまでに閲覧したウェブページにおいて販売される商品または提供されるサービスの中のいずれかを対象商品等として選択する選択手段と、購入の申し込みを受け付けた商品またはサービスである基礎物品等の購入価格で前記対象商品等の価格を割り算することで、前記対象商品等の価格を前記基礎物品等の相当する数で表す基礎物品相当数を算出する相当数算出手段と、購入の申し込みを受け付けた旨を通知するウェブページを前記情報提供装置から受信し、前記対象商品等の価格が前記基礎物品相当数の前記基礎物品等に相当することを表示させる表示データが含まれるデータを前記ウェブページ上に表示させる表示制御手段とを備える。
【００２０】
前記基礎物品等の購入価格とは、前記基礎物品等の購入時の単価であってもよい。
【００２１】
本発明の第１の側面においては、ユーザがこれまでに閲覧したウェブページにおいて販売される商品または提供されるサービスの中のいずれかが対象商品等として選択され、購入の申し込みを受け付けた商品またはサービスである基礎物品等の購入価格で対象商品等の価格を割り算することで、対象商品等の価格を基礎物品等の相当する数で表す基礎物品相当数が算出され、購入の申し込みを受け付けた旨を通知するウェブページであって、対象商品等の価格が基礎物品相当数の基礎物品等に相当することを表示させる表示データが含まれるウェブページのデータが端末装置に送信される。
【発明の効果】
【００２２】
以上のように、本発明の一側面によれば、本発明の一側面によれば、閲覧した商品の価格の計算単位を変化させて表示することができる。
【００２３】
また、本発明の第１の側面によれば、過去に閲覧した商品またはサービスに対して、当該商品またはサービスの価格の計算単位を今回購入する商品またはサービスを基準に表示させることによって、過去に閲覧した商品またはサービスの価値を実感させやすくすることができる。
【図面の簡単な説明】
【００２４】
【図１】本発明の一実施の形態の情報提供システムの構成を示す図である。
【図２】サーバ１１のハードウェアの構成例を示すブロック図である。
【図３】サーバ１１において実現される機能の構成の例を示すブロック図である。
【図４】商品の購入の申し込みの受け付けの処理の例を説明するフローチャートである。
【図５】ウェブページの例を示す図である。
【図６】商品の購入の申し込みの受け付けの処理の他の例を説明するフローチャートである。
【図７】商品の購入の申し込みの受け付けの処理のさらに他の例を説明するフローチャートである。
【発明を実施するための形態】
【００２５】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２６】
本発明の第１の側面の情報提供装置は、所定のユーザの端末装置（例えば、図１のユーザ端末装置１３−１）からの所定の商品またはサービスの購入の申し込みをウェブページにおいて受け付ける情報提供装置（例えば、図１のサーバ１１）であって、前記ユーザがこれまでに閲覧したウェブページにおいて販売される商品または提供されるサービスの中のいずれかを対象商品等として選択する選択手段（例えば、図３の対象商品選択部１２３）と、購入の申し込みを受け付けた商品またはサービスである基礎物品等の購入価格で前記対象商品等の価格を割り算することで、前記対象商品等の価格を前記基礎物品等の相当する数で表す基礎物品相当数を算出する相当数算出手段（例えば、図３の基礎物品相当数計算部１２４）と、購入の申し込みを受け付けた旨を通知するウェブページであって、前記対象商品等の価格が前記基礎物品相当数の前記基礎物品等に相当することを表示させる表示データが含まれるウェブページのデータを前記端末装置に送信する送信手段（例えば、図３のWebサーバ機能６１）とを備える。ここで、対象商品等の価格とは、対象商品等の単価であって、基礎物品等の購入価格とは、基礎物品等の購入時の単価であってもよい。
【００２７】
前記選択手段（例えば、図３の対象商品選択部１２３）は、前記ユーザがこれまでに購入していない商品または提供されるサービスを前記対象商品等として選択することができる。
【００２８】
前記ユーザがこれまでに購入した商品またはサービスの購入価格の平均値である平均購入価格を算出する平均購入価格算出手段（例えば、図３の平均購入価格計算部１２２）と、購入の申し込みを受け付けた商品またはサービスの価格が前記平均購入価格より高いか否かを判定する判定手段（例えば、図３の判定部１２１）とをさらに設け、前記選択手段には、購入の申し込みを受け付けた商品またはサービスの価格が前記平均購入価格より高いと判定された場合、前記ユーザがこれまでに閲覧したウェブページにおいて販売される商品または提供されるサービスであって、購入の申し込みを受け付けた商品またはサービスの価格より高い価格の商品またはサービスの中から、最も低い価格の商品またはサービスを前記対象商品等として選択し、購入の申し込みを受け付けた商品またはサービスの価格が前記平均購入価格と同じ又はそれより低いと判定された場合、前記ユーザがこれまでに閲覧したウェブページにおいて販売される商品または提供されるサービスであって、購入の申し込みを受け付けた前記商品またはサービスの価格より低い価格の商品またはサービスの中から、最も高い価格の商品またはサービスを前記対象商品等として選択させることができる。
【００２９】
前記平均購入価格は、前記ユーザがこれまでに購入した商品またはサービスの単価の平均値であり、前記選択手段（例えば、図３の対象商品選択部１２３）において、前記購入の申し込みを受け付けた商品またはサービスの前記価格とは当該商品またはサービスの単価であり、前記対象商品等の前記価格とは当該対象物品等の単価であってもよい。
【００３０】
前記ユーザがこれまでに購入した商品またはサービスの購入価格の平均値である平均購入価格を算出する平均購入価格算出手段（例えば、図３の平均購入価格計算部１２２）と、購入の申し込みを受け付けた商品またはサービスの価格が前記平均購入価格より高いか否かを判定する判定手段（例えば、図３の判定部１２１）とをさらに設け、前記選択手段には、購入の申し込みを受け付けた商品またはサービスの価格が前記平均購入価格より高いと判定された場合、前記ユーザがこれまでに閲覧したウェブページにおいて販売される商品または提供されるサービスであって、購入の申し込みを受け付けた商品またはサービスの価格より高い価格の商品またはサービスの中から、最も高い価格の商品またはサービスを前記対象商品等として選択し、購入の申し込みを受け付けた商品またはサービスの価格が前記平均購入価格より高くないと判定された場合、前記ユーザがこれまでに閲覧したウェブページにおいて販売される商品または提供されるサービスであって、購入の申し込みを受け付けた前記商品またはサービスの価格より低い価格の商品またはサービスの中から、最も低い価格の商品またはサービスを前記対象商品等として選択させることができる。
【００３１】
前記平均購入価格は、前記ユーザがこれまでに購入した商品またはサービスの単価の平均値であり、前記選択手段（例えば、図３の対象商品選択部１２３）において、前記購入の申し込みを受け付けた商品またはサービスの前記価格とは当該商品またはサービスの単価であり、前記対象商品等の前記価格とは当該対象物品等の単価であってもよい。
【００３２】
本発明の第１の側面の情報提供方法は、所定のユーザの端末装置（例えば、図１のユーザ端末装置１３−１）からの所定の商品またはサービスの購入の申し込みをウェブページにおいて受け付ける情報提供方法であって、前記ユーザがこれまでに閲覧したウェブページにおいて販売される商品または提供されるサービスの中のいずれかを対象商品等として選択し（例えば、図４のステップＳ１０４の手続き）、購入の申し込みを受け付けた商品またはサービスである基礎物品等の購入価格で前記対象商品等の価格を割り算することで、前記対象商品等の価格を前記基礎物品等の相当する数で表す基礎物品相当数を算出し（例えば、図４のステップＳ１０７の手続き）、購入の申し込みを受け付けた旨を通知するウェブページであって、前記対象商品等の価格が前記基礎物品相当数の前記基礎物品等に相当することを表示させる表示データが含まれるウェブページのデータを前記端末装置に送信する（例えば、図４のステップＳ１０９の手続き）ステップを含む。
【００３３】
本発明の第１の側面のプログラムは、所定のユーザの端末装置（例えば、図１のユーザ端末装置１３−１）からの所定の商品またはサービスの購入の申し込みをウェブページにおいて受け付けるコンピュータに、前記ユーザがこれまでに閲覧したウェブページにおいて販売される商品または提供されるサービスの中のいずれかを対象商品等として選択し（例えば、図４のステップＳ１０４の手続き）、購入の申し込みを受け付けた商品またはサービスである基礎物品等の購入価格で前記対象商品等の価格を割り算することで、前記対象商品等の価格を前記基礎物品等の相当する数で表す基礎物品相当数を算出し（例えば、図４のステップＳ１０７の手続き）、購入の申し込みを受け付けた旨を通知するウェブページであって、前記対象商品等の価格が前記基礎物品相当数の前記基礎物品等に相当することを表示させる表示データが含まれるウェブページのデータを前記端末装置に送信する（例えば、図４のステップＳ１０９の手続き）ステップを含む処理を実行させる。
【００３４】
図１は、本発明の一実施の形態の情報提供システムの構成を示す図である。情報提供システムは、サーバ１１、インターネット１２、およびユーザ端末装置１３−１乃至１３−３からなる。サーバ１１は、情報提供装置の一例であり、専用サーバ、パーソナルコンピュータ、または仮想サーバなどからなる。サーバ１１は、専用サーバ、パーソナルコンピュータ、または仮想サーバなどの組み合わせからなるシステムであっても良い。
【００３５】
サーバ１１は、インターネット１２を介して、ユーザ端末装置１３−１乃至１３−３のそれぞれに、商品を販売するかまたはサービスを提供するためのウェブページのデータを提供する。言い換えれば、サーバ１１は、インターネット１２を介して、ユーザ端末装置１３−１乃至１３−３のそれぞれに、商品の販売またはサービスの提供に関する情報をユーザに提示するためのウェブページのデータを提供する。また、サーバ１１は、インターネット１２を介して、ユーザ端末装置１３−１乃至１３−３のそれぞれからの、商品またはサービスの購入の申し込みを受け付ける。
【００３６】
さらに、サーバ１１がデータを提供するウェブページにおいて、閲覧したウェブページにおいて販売される商品の価格が、他の物品の相当する数で表される。
【００３７】
ここで、ウェブページにおいて閲覧したウェブページにおいて販売される商品や提供されるサービスの価格を、相当する数で表す基準となる物品を基礎物品と称する。基礎物品には、コーヒーやハンバーガーなど、日常的に繰り返し購入される物品または身近な物品が採用される。なお、相当する数で表す基準には、コーヒーの提供やタクシーの運賃など、日常的に受けるサービスを基礎役務（基礎物品等に含まれる）として用いるようにしてもよい。
【００３８】
さらに、閲覧したウェブページにおいて販売される商品の価格を表す基礎物品の数を基礎物品相当数と称する。
【００３９】
以下、対象商品として商品が選択される場合を例に説明する。
【００４０】
すなわち、サーバ１１は、インターネット１２を介して、ユーザ端末装置１３−１乃至１３−３のそれぞれに、購入の申し込みを受け付けた旨を通知するウェブページであって、閲覧したウェブページにおいて販売される商品の価格が基礎物品の基礎物品相当数で表されるウェブページのデータを提供する。
【００４１】
インターネット１２は、ネットワークの一例であり、有線または無線の汎用回線または専用回線や、有線または無線の複数のネットワーク、例えば、LAN（Local Area Network）またはWAN（Wide Area Network）などからなる。
【００４２】
ユーザ端末装置１３−１乃至１３−３は、それぞれ、ユーザの操作に応じて、インターネット１２を介してサーバ１１からウェブページのデータを取得して、ウェブページをそれぞれのユーザに提示する。
【００４３】
以下、ユーザ端末装置１３−１乃至１３−３を個々に区別する必要がない場合、単に、ユーザ端末装置１３と称する。
【００４４】
図２は、サーバ１１のハードウェアの構成例を示すブロック図である。
【００４５】
サーバ１１において、CPU（Central Processing Unit）３１，ROM（Read Only Memory）３２，RAM（Random Access Memory）３３は、バス３４により相互に接続されている。
【００４６】
バス３４には、さらに、入出力インタフェース３５が接続されている。入出力インタフェース３５には、キーボード、マウス、マイクロホンなどよりなる入力部３６、ディスプレイ、スピーカなどよりなる出力部３７、ハードディスクや不揮発性のメモリなどよりなる記憶部３８、ネットワークインタフェースなどよりなる通信部３９、磁気ディスク、光ディスク、光磁気ディスク、或いは半導体メモリなどのリムーバブルメディア４１を駆動するドライブ４０が接続されている。
【００４７】
以上のように構成されるサーバ１１（コンピュータ）では、CPU３１が、例えば、記憶部３８に記憶されているプログラムを、入出力インタフェース３５及びバス３４を介して、RAM３３にロードして実行することにより、後述する一連の処理が行われる。
【００４８】
サーバ１１（CPU３１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア４１に記録して、あるいは、ローカルエリアネットワーク、インターネット１２、デジタル衛星放送といった、有線または無線の伝送媒体を介して提供される。
【００４９】
そして、プログラムは、リムーバブルメディア４１をドライブ４０に装着することにより、入出力インタフェース３５を介して、記憶部３８に記憶することで、コンピュータにインストールすることができる。また、プログラムは、有線または無線の伝送媒体を介して、通信部３９で受信し、記憶部３８に記憶することで、コンピュータにインストールすることができる。その他、プログラムは、ROM３２や記憶部３８にあらかじめ記憶しておくことで、コンピュータにあらかじめインストールしておくことができる。
【００５０】
次に、商品の購入の申し込みの受け付けにおいて、基礎物品相当数および基礎物品の画像を表示させる場合について説明する。
【００５１】
図３は、プログラムを実行するサーバ１１において実現される機能の構成の例を示すブロック図である。すなわち、サーバ１１がプログラムを実行すると、Webサーバ機能６１、ページデータ生成部６２、認証部６３、相当数表示制御部６４、ユーザデータベース６５、商品データベース６６、閲覧履歴データベース６７、および購入履歴データベース６８が実現される。
【００５２】
Webサーバ機能６１は、例えば、Apache HTTP Serverなどの、いわゆるWebサーバプログラムを実行することにより実現され、HTTP（Hypertext Transfer Protocol）に規定される手順に基づいて、テキストまたは画像などの各種のオブジェクトが含まれるHTML（Hypertext Markup Language）方式またはXML（Extensible Markup Language）方式などのウェブページのデータを提供する。
【００５３】
ページデータ生成部６２は、Webサーバ機能６１によって提供される、ウェブページのデータを生成する。
【００５４】
認証部６３は、ユーザのユーザIDおよびパスワードを照合して、ユーザが正当であるか否かを認証する。
【００５５】
相当数表示制御部６４は、購入を申し込んだ商品である基礎物品の価格と、これまでに閲覧したウェブページに掲載された商品の価格とから基礎物品相当数を算出し、商品の価格が基礎物品相当数の基礎物品に相当することを表示させる表示データを生成して、ページデータ生成部６２に供給する。ページデータ生成部６２は、この表示データが相当数表示制御部６４から供給された場合、商品の購入を受け付けた旨を通知するウェブページのデータに表示データを含める。
【００５６】
より詳しく説明すると、相当数表示制御部６４は、ユーザがこれまでに閲覧したウェブページにおいて販売される商品の中のいずれかを対象商品として選択し、購入の申し込みを受け付けた商品である基礎物品の購入価格で対象商品の価格を割り算することで、対象商品の価格を基礎物品の相当する数で表す基礎物品相当数を算出する。
【００５７】
相当数表示制御部６４には、判定部１２１、平均購入価格計算部１２２、対象商品選択部１２３、基礎物品相当数計算部１２４、および表示データ生成部１２５が含まれる。
【００５８】
判定部１２１は、予め決められた所定の期間内にユーザがいずれかの商品の販売のウェブページを閲覧したか否かを判定する。平均購入価格計算部１２２は、ユーザがこれまでに（例えば、上記所定の期間内に）購入した商品の価格の平均値である平均購入価格を計算する。対象商品選択部１２３は、ユーザがこれまでに閲覧したウェブページで販売される商品の中から、所定期間内において購入されていない対象商品を選択する。
【００５９】
基礎物品相当数計算部１２４は、対象商品の価格（例えば、対象商品の単価）を、購入を申し込んだ商品である基礎物品の価格（例えば、基礎物品の単価）で割り算することで、対象商品の価格を基礎物品の相当する数で表す基礎物品相当数を算出する。表示データ生成部１２５は、対象商品の価格が基礎物品相当数の基礎物品に相当することを表示させる表示データを生成する。
【００６０】
ユーザデータベース６５は、それぞれのユーザに関するデータを格納する。すなわち、ユーザデータベース６５は、ユーザの、氏名、住所、電話番号、電子メールアドレス、それぞれのユーザを特定するユーザID、およびログインするためのパスワードなどをユーザ毎に記録する。
【００６１】
商品データベース６６は、それぞれの商品に関するデータを格納する。より詳しく説明すれば、商品データベース６６は、商品毎に、商品を特定する商品IDに対応させて、商品の名前、商品の画像、商品を製造するメーカ名、および商品の価格などを格納する。
【００６２】
閲覧履歴データベース６７は、ユーザ毎に、ウェブページが閲覧された履歴を格納する。より詳細には、閲覧履歴データベース６７は、ユーザ毎に、ウェブページを閲覧したユーザを特定するユーザIDに対応付けて、閲覧したウェブページを特定するページID、ウェブページを閲覧した日時、ウェブページが閲覧された回数、ウェブページに掲載されている商品を特定する商品ID、商品IDで特定される商品の名前、商品IDで特定される商品の画像、商品IDで特定される商品の価格、商品IDで特定される商品が対象物品として選択されたか否かを示す選択履歴などを格納する。
【００６３】
購入履歴データベース６８は、ユーザ毎に、ユーザが購入した商品の履歴を格納する。すなわち、購入履歴データベース６８は、ユーザIDに対応付けて、購入された商品を特定する商品ID、商品の名前、商品の画像、購入した日付、購入した価格、購入した個数、購入した店舗を特定する店舗ID、掲載されているウェブページを特定するページID、商品IDで特定される商品が基礎物品として選択されたか否かを示す選択履歴などを格納する。
【００６４】
なお、ユーザデータベース６５、商品データベース６６、閲覧履歴データベース６７、および購入履歴データベース６８は、それぞれ、オペーレーティングシステムによって提供されるファイルシステム上に直接構築されるものであっても、データベース管理システムを用いて構築されるものであってもよい。また、ユーザデータベース６５、商品データベース６６、閲覧履歴データベース６７、および購入履歴データベース６８のうち、いずれかを組み合わせて、１つのデータベースとするようにしてもよい。
【００６５】
次に、認証部６３によって正当なユーザであると認証されて、ログインしているユーザに対して、の購入の申し込みを受け付けるウェブページを提供するサーバ１１の処理について説明する。
【００６６】
図４は、商品の購入の申し込みの受け付けの処理の例を説明するフローチャートである。ステップＳ１０１において、Webサーバ機能６１は、ネットワークインタフェースである通信部３９を制御して、ユーザのユーザ端末装置１３からの商品の購入の申し込みのデータを受信し、商品の購入の申し込みを受け付ける。
【００６７】
ステップＳ１０２において、相当数表示制御部６４の判定部１２１は、閲覧履歴データベース６７から、商品の購入の申し込みのデータを送信してきたユーザ端末装置１３のユーザを特定するユーザIDをキーにして、そのユーザがウェブページを閲覧した日時を読み出して、予め決められた1月または1週間など所定の期間内にユーザがいずれかの商品の販売のウェブページを閲覧したか否かを判定する。相当数表示制御部６４の判定部１２１は、さらに、購入の申し込みを受け付けるウェブページを表示させる際に商品データベース６６から取得した、購入の申し込みを受け付けた商品の名前、画像、当該商品を製造するメーカ名、および価格を得る。
【００６８】
ステップＳ１０２において、所定の期間内にユーザがいずれかの商品の販売のウェブページを閲覧したと判定された場合、手続きはステップＳ１０３に進み、対象商品選択部１２３は、ユーザがこれまでに閲覧したウェブページで販売される商品の名前、画像、価格、およびウェブページの閲覧回数を閲覧履歴データベース６７から読み出す。ステップＳ１０４において、対象商品選択部１２３は、閲覧したウェブページで販売される商品であって、所定期間内において購入されていない商品の中から、所定の条件により対象商品を選択する。例えば、対象商品選択部１２３は、最後に閲覧したウェブページ（当日の日付に最も近い日に閲覧したウェブページ）において販売される商品を対象商品として選択する。例えば、対象商品選択部１２３は、閲覧された回数が最も多いウェブページにおいて販売される商品を対象商品として選択する。例えば、対象商品選択部１２３は、所定の期間に閲覧されたウェブページの中で、最も価格（単価）の高い商品又はサービスの購入申し込みを受け付けるページで販売される商品を対象商品として選択する。例えば、対象商品選択部１２３は、所定の期間に閲覧されたウェブページの中で、最も価格（単価）の低い商品又はサービスの購入申し込みを受け付けるページで販売される商品を対象商品として選択する。
【００６９】
ステップＳ１０５において、基礎物品相当数計算部１２４は、購入が申し込まれた商品を基礎物品とする。ステップＳ１０６において、基礎物品相当数計算部１２４は、基礎物品の名前、価格、および画像を、判定部１２１より取得する。ステップＳ１０７において、基礎物品相当数計算部１２４は、対象商品の価格を基礎物品の価格で割り算して、その商（小数点以下を含む）を基礎物品相当数とする。基礎物品相当数計算部１２４は、基礎物品の名前、価格、画像、および基礎物品相当数を表示データ生成部１２５に供給する。
【００７０】
ステップＳ１０８において、表示データ生成部１２５は、対象商品の価格が基礎物品相当数の基礎物品に相当することを表示するためのデータを生成する。表示データ生成部１２５は、生成したデータをページデータ生成部６２に供給する。ページデータ生成部６２は、購入の申し込みの受け付けを通知するウェブページのデータに、相当数表示制御部６４の表示データ生成部１２５から供給されたデータを含める。ページデータ生成部６２は、対象商品の価格が、基礎物品相当数の基礎物品に相当することを表示するためのデータを含む、購入の申し込みの受け付けを通知するウェブページのデータをWebサーバ機能６１に供給する。ステップＳ１０８の後、手続きはステップＳ１０９に進む。
【００７１】
ステップＳ１０２において、所定の期間内にユーザがいずれかの商品の販売のウェブページを閲覧していないと判定された場合、手続きはステップＳ１０９に進み、ページデータ生成部６２は、対象商品の価格が、基礎物品相当数の基礎物品に相当することを表示するためのデータを含まない、購入の申し込みの受け付けを通知するウェブページのデータをWebサーバ機能６１に供給し、手続きはステップＳ１０９に進む。
【００７２】
ステップＳ１０９において、Webサーバ機能６１は、ネットワークインタフェースである通信部３９を制御して、購入の申し込みの受け付けを通知するウェブページのデータを、インターネット１２を介して、商品の購入の申し込みのデータを送信してきたユーザのユーザ端末装置１３宛てに送信して、商品の購入の申し込みの受け付けの処理は終了する。
【００７３】
このように、ユーザが商品の購入を申し込んだ場合には、これまでに閲覧したウェブページで販売される商品の価格が、購入を申し込んだ所定の数の商品に相当することが、購入の申し込みの受け付けを通知するウェブページに表示されることになる。
【００７４】
例えば、図５に示されるように、50,000円のバックの購入を申し込んだ場合、その前に、100,000円であるテレビジョン受像器が掲載されているウェブページをそのユーザが閲覧していたとき、購入の申し込みの受け付けを通知するウェブページには、テレビジョン受像器の100,000円である商品価格（対象商品単価）と共に、バックである基礎物品名、および２つである基礎物品相当数、並びに２つの基礎物品の画像（図５中のバックの画像）が表示されることになる。
【００７５】
このように、過去に閲覧した商品に対して、当該商品の価格の計算単位を今回購入する商品を基準に表示させることによって、過去に閲覧した商品の価値を実感させやすくすることができる。
【００７６】
また、対象商品選択部１２３は、ユーザが最後に閲覧した商品を対象商品として選択した場合に、その前に閲覧した商品等をさらなる対象商品として、当該さらなる対象商品等の価格に基礎物品等が相当する数を、購入の申し込みの受け付けを通知するウェブページ上にさらに表示させてもよい。
【００７７】
ユーザが最近閲覧したウェブページにおいて販売される商品等を対象商品等とすることで、ユーザにとって最も記憶の新しい閲覧商品等の価値が異なる尺度で提示されることとなる。ここで、最も記憶の新しい閲覧商品等とは、最近購入を迷った閲覧商品等と考えることができる。また、このように、同一の基準（基礎物品等）に基づいて、様々な閲覧商品の価値を提示することで、閲覧した商品の価値を比較して判断することが可能となる。また、対象商品等を、閲覧のタイミングに従って提示することにより、閲覧した際の自身の判断過程を時系列で追っていくことができ、閲覧した商品の価値判断が容易になる。
【００７８】
また、対象商品選択部１２３は、これまでで閲覧された回数の最も多いウェブページにおいて販売される商品を対象商品等として選択した場合に、その次に多く閲覧した商品等をさらなる対象商品として、当該さらなる対象商品等の価格に基礎物品等が相当する数を、購入の申し込みの受け付けを通知するウェブページ上にさらに表示させてもよい。
【００７９】
ユーザが最も多く閲覧したウェブページにおいて販売される商品等を基礎物品等とすることで、ユーザにとって最も頻繁に閲覧している閲覧商品等の価値が異なる尺度で提示されることとなる。ここで、最も頻繁に閲覧している閲覧商品等とは、購入を迷っているものの購入したいと考えている閲覧商品等と考えることができる。また、このように、同一の基準（基礎物品等）に基づいて、様々な閲覧商品の価値を提示することで、閲覧した商品の価値を比較して判断することが可能となる。また、対象商品等を、閲覧の頻度に従って提示することにより、閲覧した際の自身の判断過程を逡巡度で追っていくことができ、閲覧した商品の価値判断が容易になる。
【００８０】
また、これまでに購入した商品の価格を基準として、対象商品を選択することもできる。
【００８１】
図６は、これまでに購入した商品の価格を基準として対象商品を選択する場合の、商品の購入の申し込みの受け付けの処理の例を説明するフローチャートである。図６のステップＳ１３１乃至ステップＳ１３３の手続きは、それぞれ、図４のステップＳ１０１乃至ステップＳ１０３の手続きのそれぞれと同様なので、その説明は省略する。
【００８２】
ステップＳ１３４において、平均購入価格計算部１２２は、ユーザIDをキーにして、ユーザがこれまでに購入した商品のそれぞれの価格を購入履歴データベース６８から読み出す。ステップＳ１３５において、平均購入価格計算部１２２は、ユーザがこれまでに購入した商品の価格の平均値である平均購入価格を計算する。
【００８３】
ステップＳ１３６において、判定部１２１は、今回購入された商品の購入価格が平均購入価格より高いか否かを判定する。ステップＳ１３６において、今回購入された商品の購入価格が平均購入価格より高いと判定された場合、手続きはステップＳ１３７に進み、対象商品選択部１２３は、ユーザがこれまでに閲覧したウェブページで販売される商品であって、購入価格より価格の高い商品の中から、最も価格の低い商品を対象商品に選択して、手続きはステップＳ１３９に進む。
【００８４】
ステップＳ１３６において、今回購入された商品の購入価格が平均購入価格より高くない、すなわち平均購入価格と同じ又はそれより低いと判定された場合、手続きはステップＳ１３８に進み、対象商品選択部１２３は、ユーザがこれまでに閲覧したウェブページで販売される商品であって、購入価格より価格の低い商品の中から、最も価格の高い商品を対象商品に選択して、手続きはステップＳ１３９に進む。
【００８５】
ステップＳ１３９乃至ステップＳ１４３の手続きは、それぞれ、図４のステップＳ１０５乃至ステップＳ１０９の手続きのそれぞれと同様なので、その説明は省略する。
【００８６】
なお、ステップＳ１３７またはステップＳ１３８の手続きで、対象商品が選択できなかった場合には、ステップＳ１３９乃至ステップＳ１４２の手続きはスキップされる。
【００８７】
このようにすることで、購入が申し込まれた商品の購入価格が平均購入価格より高い場合には、購入価格より高い価格であって、購入価格に近い価格の商品が対象商品として選択され、購入が申し込まれた商品の購入価格が平均購入価格より高くない場合には、購入価格より低い価格であって、購入価格に近い価格の商品が対象商品として選択され、そのときの購買意欲にあった対象商品が選択されて、その対象商品の価格がより身近に感じられることになる。
【００８８】
すなわち、平均購入価格を、ユーザが普段購入している商品等の価格と考えることができる。このように考えた場合、購入を申し込んだ商品の価格が平均購入価格より高いということは、ユーザが普段購入している物より高価なものを購入しようとしていると考えることができる。このような場合に、ユーザが既に閲覧したことのある、その購入しようとしている商品等（基礎物品等）より高価な商品の価値を再度異なる基準で提示にすることにより、その過去に閲覧した商品等の価値を身近に感じることが可能になる。購入しようとしている商品等（基礎物品等）より高価な商品の中でも、特に、購入しようとしている商品等（基礎物品等）に価格が近い商品を対象にすることで、対象商品等の価値をユーザがより一層理解しやすくなる。
【００８９】
あるいは、購入を申し込んだ商品の価格が平均購入価格より安いということは、ユーザが普段購入している物より安価なものを購入しようとしていると考えることができる。このような場合に、ユーザが既に閲覧したことのある、その購入しようとしている商品等（基礎物品等）より安価な商品の価値を再度異なる基準で提示にすることにより、その過去に閲覧した商品等の価値をより一層身近に感じることが可能になる。購入しようとしている商品等（基礎物品等）より安価な商品の中でも、特に、購入しようとしている商品等（基礎物品等）に価格が近い商品を対象にすることで、対象商品等の価値をユーザがより一層理解しやすくなる。
【００９０】
図７は、これまでに購入した商品の価格を基準として対象商品を選択する場合の、商品の購入の申し込みの受け付けの処理の他の例を説明するフローチャートである。図７のステップＳ１７１乃至ステップＳ１７３の手続きは、それぞれ、図４のステップＳ１０１乃至ステップＳ１０３の手続きのそれぞれと同様なので、その説明は省略する。
【００９１】
ステップＳ１７４において、平均購入価格計算部１２２は、ユーザIDをキーにして、ユーザがこれまでに購入した商品のそれぞれの価格を購入履歴データベース６８から読み出す。ステップＳ１７５において、平均購入価格計算部１２２は、ユーザがこれまでに購入した商品の価格の平均値である平均購入価格を計算する。
【００９２】
ステップＳ１７６において、判定部１２１は、今回購入された商品の購入価格が平均購入価格より高いか否かを判定する。ステップＳ１７６において、今回購入された商品の購入価格が平均購入価格より高いと判定された場合、手続きはステップＳ１７７に進み、対象商品選択部１２３は、ユーザがこれまでに閲覧したウェブページで販売される商品であって、購入価格より価格の高い商品の中から、最も価格の高い商品を対象商品に選択して、手続きはステップＳ１７９に進む。
【００９３】
ステップＳ１７６において、今回購入された商品の購入価格が平均購入価格より高くない、すなわち平均購入価格と同じ又はそれより低いと判定された場合、手続きはステップＳ１７８に進み、対象商品選択部１２３は、ユーザがこれまでに閲覧したウェブページで販売される商品であって、購入価格より価格の低い商品の中から、最も価格の低い商品を対象商品に選択して、手続きはステップＳ１７９に進む。
【００９４】
ステップＳ１７９乃至ステップＳ１８３の手続きは、それぞれ、図４のステップＳ１０５乃至ステップＳ１０９の手続きのそれぞれと同様なので、その説明は省略する。
【００９５】
なお、ステップＳ１７７またはステップＳ１７８の手続きで、対象商品が選択できなかった場合には、ステップＳ１７９乃至ステップＳ１８２の手続きはスキップされる。
【００９６】
このようにすることで、購入が申し込まれた商品の購入価格が平均購入価格より高い場合には、ユーザの購買意欲が高まっていると考えられるので、ユーザの購買意欲が高まっているときにこそ購入される可能性の高い、購入価格より高い価格の商品であって、最も高い価格の商品が対象商品として選択され、ユーザに閲覧する商品の価値を実感させやすくすることができる。逆に、購入が申し込まれた商品の購入価格が平均購入価格より高くない場合には、ユーザの購買意欲が減退していると考えられるので、ユーザの購買意欲が減退していても購入される可能性の高い、購入価格より低い価格の商品であって、最も低い価格の商品が対象商品として選択され、ユーザに閲覧する商品の価値を実感させやすくすることができる。
【００９７】
以上のように、過去に閲覧した商品に対して、当該商品の価格の計算単位を今回購入する商品を基準に表示させることによって、過去に閲覧した商品の価値を実感させやすくすることができる。
【００９８】
上記実施形態の処理を、ユーザ端末装置１３において実現してもよい。すなわち、ユーザ端末装置１３が、所定の商品またはサービスの購入を、ウェブページを介して所定のユーザによって情報提供装置に申し込む端末装置（情報表示装置）１３であってもよい。この場合、ユーザ端末装置１３は、ユーザがこれまでに閲覧したウェブページにおいて販売される商品または提供されるサービスの中のいずれかを対象商品等として選択する選択手段（サーバ１１の対象商品選択部１２３の機能に相当）と、購入の申し込みを受け付けた商品またはサービスである基礎物品等の購入価格で前記対象商品等の価格を割り算することで、前記対象商品等の価格を前記基礎物品等の相当する数で表す基礎物品相当数を算出する相当数算出手段（サーバ１１の基礎物品相当数計算部１２４の機能に相当）と、購入の申し込みを受け付けた旨を通知するウェブページを前記情報提供装置から受信し、前記対象商品等の価格が前記基礎物品相当数の前記基礎物品等に相当することを表示させる表示データが含まれるデータを前記ウェブページ上に表示させる表示制御手段（サーバ１１の表示データ生成部１２５の機能に相当）と、を備える。この場合、基礎物品等の購入価格とは、基礎物品等の購入時の単価であってもよい。このようにユーザ端末装置１３において上記実施形態の処理を実現する場合、クッキー及びウェブページに埋め込まれたスクリプト等が利用される。
【００９９】
なお、上述したように、商品の価格が、商品である基礎物品の相当する数で表すと説明したが、これに限らず、商品またはサービスの価格を、他の商品または他のサービスの相当する数で表すようにしてもよい。この場合、商品やサービスの価格を、相当する数で表す基準となる物品またはサービスを基礎物品等と称する。また、ユーザがこれまでに購入した商品またはサービスを購入済み商品等と称する。ユーザがこれまでに閲覧したウェブページにおいて販売される商品または提供されるサービスの中のいずれかから選択されたものを対象商品等と称する。
【０１００】
このように、ユーザがこれまでに閲覧したウェブページにおいて販売される商品または提供されるサービスの中のいずれかを対象商品等として選択し、購入の申し込みを受け付けた商品またはサービスである基礎物品等の購入価格で対象商品等の価格を割り算することで、対象商品等の価格を基礎物品等の相当する数で表す基礎物品相当数を算出し、購入の申し込みを受け付けた旨を通知するウェブページであって、対象商品等の価格が基礎物品相当数の基礎物品等に相当することを表示させる表示データが含まれるウェブページのデータを端末装置に送信するようにした場合には、過去に閲覧した商品またはサービスに対して、当該商品またはサービスの価格の計算単位を今回購入する商品またはサービスを基準に表示させることによって、過去に閲覧した商品またはサービスの価値を実感させやすくすることができる。
【０１０１】
上述した一連の処理は、ハードウェアにより実行することもできるし、ソフトウエアにより実行することもできる。一連の処理をソフトウエアにより実行する場合には、そのソフトウエアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０１０２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１０３】
また、本発明の実施の形態は、上述した実施の形態に限定されるものではなく、本発明の要旨を逸脱しない範囲において種々の変更が可能である。
【符号の説明】
【０１０４】
１１  サーバ，  １２  インターネット，  ３１  CPU，  ３２  ROM，  ３３  RAM，  ３８  記憶部，  ３９  通信部，  ４１  リムーバブルメディア，  ６１  Webサーバ機能，  ６２  ページデータ生成部，  ６３  認証部，  ６４  相当数表示制御部，  ６５  ユーザデータベース，  ６６  商品データベース，  ６７  閲覧履歴データベース，  ６８  購入履歴データベース，  １２１  判定部，  １２２  平均購入価格計算部，  １２３  対象商品選択部，  １２４  基礎物品相当数計算部，  １２５  表示データ生成部
【図１】
2011134156.tif 000003
【図２】
2011134156.tif 000004
【図３】
2011134156.tif 000005
【図４】
2011134156.tif 000006
【図５】
2011134156.tif 000007
【図６】
2011134156.tif 000008
【図７】
2011134156.tif 000009